(57)【要約】【課題】人体局部及び便器を衛生的に洗浄できる局部洗浄装置を提供する。【解決手段】本局部洗浄装置は、電解槽で生成されたアルカリ水あるいは酸性水を加熱する加熱ユニットと、この加熱ユニットと電解槽間に設けられ、アルカリ水あるいは酸性水の一方を加熱ユニットに、他方を便器に選択的に流す切替弁機構と、この切替弁機構を介して加熱ユニットに流入し、加熱されたアルカリ水あるいは酸性水を人体局部に噴射する局部洗浄ノズルを備える。【選択図】  図２
2008038476.tif 000002
【特許請求の範囲】
【請求項１】
便器に装着される便座装置に組み込まれて使用される局部洗浄装置において、
水を電気分解してアルカリ水と酸性水を生成する電解槽と、
この電解槽で生成されたアルカリ水あるいは酸性水を加熱する加熱ユニットと、
この加熱ユニットと前記電解槽間に設けられ、アルカリ水あるいは酸性水の一方を前記加熱ユニットに、他方を便器に選択的に流す切替弁機構と、
この切替弁機構を介して前記加熱ユニットに流入し、加熱されたアルカリ水あるいは酸性水を人体局部に噴射する局部洗浄ノズル
を備えたことを特徴とする局部洗浄装置。
【請求項２】
便器に装着される便座装置に組み込まれて使用される局部洗浄装置において、
水を電気分解してアルカリ水と酸性水を生成する電解槽と、
この電解槽で生成されたアルカリ水を加熱する加熱ユニットと、
この加熱されたアルカリ水を人体局部に噴射する局部洗浄ノズルと、
前記電解槽で生成された酸性水を便器に流して便器を洗浄する酸性水流出手段
を備えたことを特徴とする局部洗浄装置。
【請求項３】
前記便器に流されるアルカリ水あるいは酸性水を一時的に貯える貯水槽が設けられ、この貯水槽に取り付けられたホースに先端にハンドブラシが設けられたことを特徴とする請求項１または２に記載の局部洗浄装置。
【発明の詳細な説明】
【技術分野】
【０００１】
本発明は、洗浄ノズルを備えた局部洗浄装置に係り、特に人体局部及び便器を衛生的に洗浄できる局部洗浄装置に関する。
【背景技術】
【０００２】
近年、人体局部を洗浄するために、洗浄水を人体局部に噴出する洗浄ノズルを備え局部洗浄装置が普及している。この局部洗浄装置は、洗浄水を洗浄ノズルに供給し、この洗浄ノズルから洗浄水を人体局部に向けて噴出するという構成をなす。
【０００３】
しかし、洗浄水が単に湯水では、人体局部に付着した脂肪や蛋白質成分を十分に除去することができない。
【０００４】
そこで、給水を電気分解してアルカリ水を局部洗浄に使用することが提案されている（特許文献１）。この特許文献１のものは、人体局部の洗浄効果は向上するが、便器の洗浄を行うことができない。
【特許文献１】特開平９−７８６５８号公報
【発明の開示】
【発明が解決しようとする課題】
【０００５】
本発明は上述した事情を考慮してなされたもので、人体局部及び便器を衛生的に洗浄できる局部洗浄装置を提供することを目的とする。
【課題を解決するための手段】
【０００６】
上述した目的を達成するため、本発明に係る局部洗浄装置は、便器に装着される便座装置に組み込まれて使用される局部洗浄装置において、水を電気分解してアルカリ水と酸性水を生成する電解槽と、この電解槽で生成されたアルカリ水あるいは酸性水を加熱する加熱ユニットと、この加熱ユニットと前記電解槽間に設けられ、アルカリ水あるいは酸性水の一方を前記加熱ユニットに、他方を便器に選択的に流す切替弁機構と、この切替弁機構を介して前記加熱ユニットに流入し、加熱されたアルカリ水あるいは酸性水を人体局部に噴射する局部洗浄ノズルを備えたことを特徴とする。
【０００７】
また、本発明に係る局部洗浄装置は、便器に装着される便座装置に組み込まれて使用される局部洗浄装置において、水を電気分解してアルカリ水と酸性水を生成する電解槽と、この電解槽で生成されたアルカリ水を加熱する加熱ユニットと、この加熱されたアルカリ水を人体局部に噴射する局部洗浄ノズルと、前記電解槽で生成された酸性水を便器に流して便器を洗浄する酸性水流出手段を備えたことを特徴とする。
【発明の効果】
【０００８】
本発明に係る局部洗浄装置によれば、人体局部及び便器を衛生的に洗浄できる局部洗浄装置を提供することができる。
【発明を実施するための最良の形態】
【０００９】
本発明に係る局部洗浄装置の第１実施形態について添付図面を参照して説明する。
【００１０】
図１は本発明の第１実施形態の局部洗浄装置を使用した便座装置の斜視図、図２は本発明の第１実施形態の局部洗浄装置の概念図である。
【００１１】
図１及び図２に示すように、本第１実施形態に係る局部洗浄装置１は、便器２に装着される便座装置３に組み込まれて使用される。
【００１２】
便座装置３は、箱状の本体４と、この本体４に軸着され便器２に載置される便座５と、本体４に軸着され便座５上に開閉自由に設けられる便座蓋６を備える。
【００１３】
本体４には操作パネル７が設けられ、操作パネル７は電気的構成要素を制御するスイッチ組立（図示せず）を覆い、スイッチに対応してその機能をアイコンあるいは文字により表示する洗浄ボタン８ａ、停止ボタン８ｂなどを設けた操作銘板８を備える。
【００１４】
局部洗浄装置１は本体４に内装され、外部から給水された水を電気分解してアルカリ水と酸性水を生成する電解槽１１と、この電解槽１１で生成されたアルカリ水あるいは酸性水を加熱する加熱ユニット１２と、この加熱ユニット１２と電解槽１１間に設けられ、アルカリ水あるいは酸性水の一方を加熱ユニット１２に、他方を便器２に選択的に流し、アルカリ水側切換弁１３ａと酸性水側切換弁１３ｂを備える切替弁機構１３と、加熱ユニット１２で加熱され、流量調整弁１４を介して流入するアルカリ水あるいは酸性水を人体局部に噴射する洗浄ノズル１５を備える。
【００１５】
また、切替弁機構１３には、選択的にアルカリ水あるいは酸性水を便器２に流すために、アルカリ水あるいは酸性水を一時的に貯える貯水槽１６が接続され、さらに、貯水槽１６の下方には、先端にハンドブラシ１７ａが設けられたホース１７が一体的あるいは水密的に着脱自由に取り付けられる。貯水槽１６の上部には便器２に開口する開口部１８ａを有する水量調整用パイプ１８を設け、貯水槽１６の満水を防いでいる。
【００１６】
さらに、局部洗浄装置１には、洗浄ノズル１５をノズルシリンダ１９内で進退させるノズル進退機構２０が設けられる。
【００１７】
図３に示すように、本体４の裏面には、洗浄ノズル１５が収容される収容部２１が設けられ、図１に示す洗浄ノズル１５の使用時、伸長した状態から、不使用時の後退した状態（収容状態）の洗浄ノズル１５を収容するようになっている。
【００１８】
また、図１に示す本体４の裏面には便座５方向に面して着座センサー２２が設けられ、使用者の着座、離座を検知する。
【００１９】
さらに、本体４内には、構成要素を電気的に制御する制御手段（図示せず）が設けられ、構成要素の動作を制御するようになっている。
【００２０】
なお、図中、符号２４は温風吹出口、２５は脱臭吸込口、２６は脱臭カセット／脱臭排気口、２７は便座ゴムクッションである。
【００２１】
上記のような構造を有する第１実施形態の局部洗浄装置において、通常は人体胸部洗浄にアルカリ水を用いるものとし、電解槽１１を動作状態にし、アルカリ水及び酸性水を生成可能な状態にし、図４（ａ）に示すように、切替弁機構１３のアルカリ水側切換弁１３ａを加熱ユニット１２側に「開」、貯水槽１６側に「閉」状態にし、酸性水側切換弁１３ｂを加熱ユニット１２側に「閉」、貯水槽１６側に「開」状態にしておく。
【００２２】
図１に示すように、使用者が便座に着座すると、着座センサー２２が着座を検知し、局部洗浄装置１を動作可能な状態にする。
【００２３】
用便後、操作パネル７に設けた洗浄ボタン８ａが押されると、ノズル進退機構２０が作動して、洗浄ノズル１５を洗浄位置に前進させる。
【００２４】
続いて、加熱ユニット１２側に「開」にあるアルカリ水側切換弁１３ａを介して加熱ユニット１２に流入し、加熱されたアルカリ水は、流量調整バルブ１１を介して洗浄ノズル１５から人体の局部に噴出し、局部を洗浄する。洗浄ノズル１５から噴出するアルカリ水によって、人体局部に付着した脂肪や蛋白質成分は十分に除去され、さらに、ノズル先端近傍もアルカリ水によって洗浄される。
【００２５】
操作パネル７の停止ボタン８ｂが押されると、洗浄ノズル１５からの洗浄水の噴射が止まり、さらに、ノズル進退機構２０が作動して、洗浄ノズル１５が収容部２１に配したノズルシリンダ１９内に後退して収容状態となる。
【００２６】
一方、酸性水は、貯水槽１６側に「開」状態にある酸性水側切換弁１３ｂを介して、貯水槽１６に貯えられる。
【００２７】
使用者は定期的に不使用時、便座５及び便座蓋６を上方に回動させて、便器２の上部を露出させ、ハンドブラシ１７ａを用い、ホース１７を介して貯水槽１６の酸性水を流しながら、便器２の上部をはじめ便器２全体を洗浄する。ハンドブラシ１７ａを用いかつ、便器２の洗浄水が酸性であるので、便器２の汚れは確実に落とされ、衛生的である。
【００２８】
なお、上記使用例では、人体局部洗浄にアルカリ水を用いる例で説明したが、図４（ｂ）に示すように、切替弁機構１３のアルカリ水側切換弁１３ａを加熱ユニット１２側に「閉」、貯水槽１６側に「開」状態にし、酸性水側切換弁１３ｂを加熱ユニット１２側に「開」、貯水槽１６側に「閉」状態にし、洗浄ノズル１５に酸性水を流し、貯水槽１６にアルカリ水を貯え、アルカリ水で便器２を洗浄するようにしてもよい。また、図４（ｃ）に示すように、アルカリ水側切換弁１３ａ及び酸性水側切換弁１３ｂをいずれも加熱ユニット１２側に「開」、貯水槽１６側に「閉」状態にし、電解槽１１を不動作状態にして、普通の水を人体局部洗浄及び便器洗浄に用いるようにすることもできる。
【００２９】
次に本発明に係る局部洗浄装置の第２実施形態について説明する。
【００３０】
本第２実施形態は、第１実施形態が貯水槽に貯まった便器の洗浄水を、ハンドブラシを用いて便器を洗浄するのに対して、噴射ノズルから洗浄水を便器に噴出するものである。
【００３１】
例えば、図５に示すように、本第２実施形態の局部洗浄装置１Ａの酸性水側切換弁１３ｂに連通する水配管３１の先端には、図６及び図７に示すような酸性水流出手段としての噴射ノズル３２が本体４に設けられ、便器に向かってやや下方に向き、さらに、便器の上部周辺に洗浄水を噴射できるように噴出口がやや外方に向けて開口している。
【００３２】
なお、他の構成は図２に示す局部洗浄装置と異ならないので、同一符号を付して説明は省略する。
【００３３】
これにより、人体局部と便器をより衛生的に洗浄できる。
【００３４】
また、本発明に係る局部洗浄装置の第３実施形態について説明する。
【００３５】
本第３実施形態は、第１実施形態が切換弁機構を備えるのに対し、この切替弁機構を備えず、常に洗浄ノズルにアルカリ水、便器に酸性水を供給するものである。
【００３６】
例えば、図８に示すように、本第３実施形態の局部洗浄装置１Ｂの電解槽１１のアルカリ水側に加熱ユニット１２を接続し、酸性水側に図６に示す噴射ノズル３２を接続し、便器の上部周辺に洗浄水を噴射できるように噴出口をやや外方に向けて開口して設ける。
【００３７】
これにより、人体局部と便器をより衛生的に洗浄できる。
【図面の簡単な説明】
【００３８】
【図１】本発明の第１実施形態の局部洗浄装置を使用した便座装置の斜視図。
【図２】本発明の第１実施形態の局部洗浄装置の概念図。
【図３】本発明の第１実施形態の局部洗浄装置の裏面図。
【図４】本発明の第１実施形態の局部洗浄装置に用いる切替弁機構の開閉状態図。
【図５】本発明の第２実施形態の局部洗浄装置の概念図。
【図６】本発明の第２実施形態の局部洗浄装置に用いられる噴射ノズルの概念図で、（ａ）は側面図、（ｂ）は正面図。
【図７】本発明の第２実施形態の局部洗浄装置の裏面の斜視図。
【図８】本発明の第３実施形態の局部洗浄装置の概念図。
【符号の説明】
【００３９】
１  局部洗浄装置
２  便器
３  便座装置
４  本体
５  便座
７  操作パネル
８  操作銘板
８ａ  洗浄ボタン
８ｂ  停止ボタン
１１  電解槽
１２  加熱ユニット
１３  切替弁機構
１３ａ  アルカリ水側切換弁
１３ｂ  酸性水側切換弁
１４  流量調整弁
１５  洗浄ノズル
１６  貯水槽
１７  ホース
１７ａ  ハンドブラシ
１８  水量調整用パイプ
１８ａ  開口部
【図１】
2008038476.tif 000003
【図２】
2008038476.tif 000004
【図３】
2008038476.tif 000005
【図４】
2008038476.tif 000006
【図５】
2008038476.tif 000007
【図６】
2008038476.tif 000008
【図７】
2008038476.tif 000009
【図８】
2008038476.tif 000010